(57)【要約】【課題】  断熱性に優れた断熱コンクリート壁を提供する。【解決手段】  所定の間隔をおいて対向配置される一対の断熱複合パネル２、２と、両断熱複合パネル２、２間を所定の間隔に保持する間隔保持手段１０と、両断熱複合パネル２、２間に打設されるコンクリート７とを備える。各断熱複合パネル２は、内側に軟質の断熱材５が設けられ、その外側に硬質のパネル３が設けられる。間隔保持手段１０は、両断熱複合パネル２、２間に設けられる連結ロッド１１と、連結ロッド１１の端部に各断熱複合パネル２のパネル３を固定するアタッチメント１５及び締結ナット２０とから構成される。壁の内面側及び両面側に断熱層が設けられるので、断熱性を高めることができる。【選択図】        図１
2007016471.tif 000002
【特許請求の範囲】
【請求項１】
所定の間隔をおいて対向配置される一対の断熱複合パネルと、両断熱複合パネル間を所定の間隔に保持する間隔保持手段と、両断熱複合パネル間に打設されるコンクリートとを備え、
前記各断熱複合パネルは、硬質のパネルの一方の面に軟質の断熱材が設けられ、断熱材が互いに対向するように配置されるとともに、前記間隔保持手段は、前記両断熱複合パネル間に掛け渡される連結ロッドと、該連結ロッドの端部に前記各断熱複合パネルのパネルを固定する締結手段とを備えていることを特徴とする断熱コンクリート壁。
【請求項２】
前記締結手段は、前記連結ロッドの両端部に取り付けられるとともに、先端部が前記断熱複合パネルの断熱材を貫通して前記パネルに当接する断熱性を有する材料からなるアタッチメントと、前記パネルの外側から前記パネルを貫通して前記連結ロッドに螺合される締結ナットとからなることを特徴とする請求項１に記載の断熱コンクリート壁。
【請求項３】
一対の断熱複合パネルを所定の間隔をおいて対向配置させるとともに、両断熱複合パネル間に間隔保持手段を取り付けて、両断熱複合パネル間を所定の間隔に保持する型枠設置工程と、型枠設置工程で設置した一対の断熱複合パネルの内側の部分にコンクリートを打設し、間隔保持手段の構成部材の一部をコンクリート内に埋設させるコンクリート打設工程とを備えていることを特徴とする断熱コンクリート壁の構築方法。
【発明の詳細な説明】
【技術分野】
【０００１】
本発明は、断熱コンクリート壁及び断熱コンクリート壁の構築方法に関し、特に、コンクリート構造物の外壁等として有効な断熱コンクリート壁及び断熱コンクリート壁の構築方法に関する。
【背景技術】
【０００２】
断熱コンクリート壁の一例として、コンクリートを打設することにより所定の厚みに形成した壁の内面側（室内側）に、各種の断熱材を後貼りした断熱コンクリート壁が知られている。
【０００３】
このような構成の断熱コンクリート壁は、壁となる部分の内外面にベニヤ板を配置し、このベニヤ板にアタッチメントを介してスペーサの一端部を取り付け、スペーサの一端部をベニヤ板から外方に貫通させて、そのスペーサの一端部に補強部材を介して型枠押えを取り付ける。
【０００４】
そして、ベニヤ板と断熱材との間に形成される空間内にコンクリートを打設し、コンクリートが固化した後に、型枠押さえ、ベニヤ板等を取り外し、この後に断熱複合パネルを接着剤等により貼り付けることにより、断熱コンクリート壁を構築することができる。
【発明の開示】
【発明が解決しようとする課題】
【０００５】
ところで、上記のような構成の断熱コンクリート壁にあっては、内面側にしか断熱材が設けられていないため、十分な断熱性が得られないとともに、コンクリート躯体と断熱材との間に隙間が形成され、その隙間内に結露が生じてしまう。また、ベニヤ板、型枠押え等の取り付け、取り外しに非常に手間がかかり、作業効率が非常に悪いものであった。さらに、断熱材を型枠として打ち込み、コンクリート躯体と一体化する工夫をした工法もあるが、断熱材は柔らかいものであるので、断熱材間の間隔を一定に保つことができず、均一な厚みの壁を構築することが困難であった。
【０００６】
本発明は、上記のような従来の問題に鑑みなされたものであって、作業効率を高めることができるとともに、精度を高めることができ、さらに、結露の発生を抑制することができるとともに、断熱性を高めることができる断熱コンクリート壁及び断熱コンクリート壁の構築方法を提供することを目的とする。
【課題を解決するための手段】
【０００７】
本発明は、上記のような課題を解決するために、以下のような手段を採用している。
すなわち、請求項１に係る発明は、所定の間隔をおいて対向配置される一対の断熱複合パネルと、両断熱複合パネル間を所定の間隔に保持する間隔保持手段と、両断熱複合パネル間に打設されるコンクリートとを備え、前記各断熱複合パネルは、硬質のパネルの一方の面に軟質の断熱材が設けられ、断熱材が互いに対向するように配置されるとともに、前記間隔保持手段は、前記両断熱複合パネル間に掛け渡される連結ロッドと、該連結ロッドの端部に前記各断熱複合パネルのパネルを固定する締結手段とを備えていることを特徴とする。
【０００８】
本発明による断熱コンクリート壁によれば、壁の内面側及び外面側の両方に密着して断熱複合パネルが設けられることになるので、壁の内面側と外面側の両方に断熱層を形成することができる。従って、内面側に断熱層を形成しているものよりも更に断熱性を高めることができるとともに、結露の発生を抑制することができる。また、間隔保持手段の連結ロッドの両端部を締結手段を介して各断熱複合パネルのパネルに固定しているので、断熱複合パネル間の間隔を一定に保つことができる。従って、コンクリートの打設によって両断熱複合パネル間の間隔が変化するようなことはなく、精度の高い断熱コンクリート壁が得られ、そのままの状態で仕上げの下地とすることができる。
【０００９】
請求項２に係る発明は、請求項１に記載の断熱コンクリート壁であって、前記締結手段は、前記連結ロッドの両端部に取り付けられるとともに、先端部が前記断熱複合パネルの断熱材を貫通して前記パネルに当接する断熱性を有する材料からなるアタッチメントと、前記パネルの外側から前記パネルを貫通して前記連結ロッドに螺合される締結ナットとからなることを特徴とする。
【００１０】
本発明による断熱コンクリート壁によれば、両断熱複合パネル間に間隔保持手段を取り付ける場合に、断熱性を有する材料からなるアタッチメントを各断熱複合パネルの断熱材を貫通させてパネルに当接させ、パネルの外側から連結ロッドに締結ナットを螺合させて締め付けることにより、連結ロッドが熱橋となることなく、各断熱複合パネルのパネルを固定することができる。従って、間隔保持手段を取り付けることによって両断熱複合パネルの断熱性を大きく損ねたり、間隔が不正確になるようなことはなく、また、コンクリートの打設によっても変化するようなことがないので、所定の厚みの精度の高い断熱コンクリート壁が得られることになる。
【００１１】
請求項３に係る発明は、一対の断熱複合パネルを所定の間隔をおいて対向配置させるとともに、両断熱複合パネル間に間隔保持手段を取り付けて、両断熱複合パネル間を所定の間隔に保持する型枠設置工程と、型枠設置工程で設置した一対の断熱複合パネルの内側の部分にコンクリートを打設し、間隔保持手段の構成部材の一部をコンクリート内に埋設させるコンクリート打設工程とを備えていることを特徴とする。
【００１２】
本発明による断熱コンクリート壁の構築方法によれば、型枠設置工程において、一対の断熱複合パネルが所定の間隔をおいて配置されるとともに、それらの間の間隔が間隔保持手段によって保持される。そして、コンクリート打設工程において、一対の断熱複合パネルの内側の部分にコンクリートを打設することにより、内面側及び外面側に断熱複合パネルが配置された断熱コンクリート壁を構築することができる。
【発明の効果】
【００１３】
以上、説明したように、本発明の請求項１に記載の断熱コンクリート壁によれば、内面側及び外面側の両方に密着して断熱複合パネルが設けられることになるので、内面側と外面側の両方に結露の生じる空気層を伴わない断熱層を形成することができる。従って、内面側に断熱層を形成しているものに比べて断熱性、快適性、及び耐久性を大幅に高めることができる。また、間隔保持手段の両端部を締結手段により硬質のパネルに固定しているので、コンクリートを両断熱複合パネル間に打設しても両断熱複合パネル間の間隔が変化するようなことはなく、両断熱複合パネル間の間隔を一定に保つことができる。従って、全体に亘って均一の厚みの高精度の断熱コンクリート壁が得られる。
【００１４】
また、本発明の請求項２に記載の断熱コンクリート壁によれば、両断熱複合パネル間に間隔保持手段を取り付ける場合に、アタッチメントを各断熱複合パネルの断熱材を貫通させてパネルに当接させ、パネルの外側から締結ナットをパネルを貫通させて連結ロッドに螺合させて締め付けることにより、連結ロッドの端部に各断熱複合パネルのパネルを固定することができる。
従って、間隔保持手段を取り付けることによって両断熱複合パネル間の間隔が変化するようなことはなく、また、コンクリートの打設によっても変化するようなことがないので、所定の厚みの高精度、高性能の断熱コンクリート壁が得られることになる。さらに、パネルの外側から締結ナットを連結ロッドの端部に螺合させて締め付けるだけでよいので、作業効率を大幅に高めることができる。
【００１５】
さらに、本発明の請求項３に記載の断熱コンクリート壁の構築方法によれば、一対の断熱複合パネルを型枠として使用することができるので、型枠としてベニヤ板を使用したり、ベニヤ板を押える型枠押え等を使用したりする必要がないので、作業効率を大幅に高めることができるとともに、省資源、環境保全、工事環境の改善等に貢献することができる。
【発明を実施するための最良の形態】
【００１６】
以下、図面に示す本発明の実施の形態について説明する。
図１及び図２には、本発明による断熱コンクリート壁の一実施の形態が示されていて、この断熱コンクリート壁１は、所定の間隔をおいて対向配置される一対の断熱複合パネル２、２と、両断熱複合パネル２、２間を所定の間隔に保つ間隔保持手段１０と、両断熱複合パネル２、２間に打設されるコンクリート７とを備えている。
【００１７】
各断熱複合パネル２は、硬質の材料から形成される板状のパネル３と、パネル３の一方の面に接合される軟質の材料から形成される断熱材５とから構成され、断熱材５が互いに対向するように、断熱コンクリート壁１の内面側及び外面側にそれぞれ所定の枚数ずつ設けられている。
【００１８】
各断熱複合パネル２のパネル３には、表裏面間を貫通する貫通孔４が複数箇所に設けられるとともに、各貫通孔４に対応する断熱材５の部分には、断熱材５の表裏面間を貫通する貫通孔４よりも大径の挿入孔６がそれぞれ設けられ、貫通孔４内に後述する締結ナット２０のねじ部２１が挿入され、挿入孔６内に後述するアタッチメント１５の本体部１６が挿入される。
【００１９】
間隔保持手段１０は、図１、図３〜図６に示すように、両端部に雄ねじ部１２、１２が螺設される丸棒状の連結ロッド１１と、連結ロッド１１の両端部に取り付けられるアタッチメント１５と、連結ロッド１１の両端部のアタッチメント１５、１５の外側の部分に螺合される締結ナット２０、２０とを備え、アタッチメント１５と締結ナット２０とによって締結手段が構成されている。間隔保持手段１０の連結ロッド１１及びアタッチメント１５、１５は、断熱コンクリート壁１の内部に埋設され、締結ナット２０は断熱コンクリート壁１の構築後に、連結ロッド１１から取り外され、その後に、図２に示すように、断熱性を有するキャップ２５又はパテが挿入される。
【００２０】
連結ロッド１１は、長さを調整するために、２本の分割ロッド１３、１３を長ナット１４を介して連結することにより１本に形成されている。各分割ロッド１３は、両端部にそれぞれ雄ねじ部１２、１２が螺設され、各分割ロッド１３の一端部の雄ねじ部１２を長ナット１４の長手方向の両端から螺合させ、両分割ロッド１３、１３の端面同士を長ナット１４の内部で互いに接触させる。そして、両分割ロッド１３、１３と長ナット１４との間を溶接によって一体に接合することにより、両分割ロッド１３、１３が一体に連結される。なお、連結ロッド１１は、２本の分割ロッド１３、１３を連結せずに、全体を１本で形成してもよい。
【００２１】
アタッチメント１５は、断熱性を有する樹脂等から形成されるものであって、筒状の本体部１６と、本体部１６の長手方向の一端部に一体に設けられる、本体部１６から外方に環状に突出する止水機能を持つフランジ部１７とから構成され、フランジ部１７の根元部は全周に亘って断面略半円形状に面取りされている。
【００２２】
アタッチメント１５の本体部１６の内側の部分は、フランジ部１７の内側の部分よりも大径の大径部１８に形成され、この大径部１８内に連結ロッド１１の雄ねじ部１２が内周面と所定の間隔をおいて位置している。フランジ部１７の内側の部分は、本体部１６の大径部１８よりも小径の小径部１９に形成され、この小径部１９内に連結ロッド１１の雄ねじ部１２の根元部を位置させ、この状態で、フランジ部１７の根元部を内方にカシメ付けることにより、アタッチメント１５が連結ロッド１１に固定される。この場合、連結ロッド１１の先端は、アタッチメント１５の本体部１６の先端よりも内方に位置するように、連結ロッド１１とアタッチメント１５の本体部１６との位置関係が設定されている。
【００２３】
次に、上記のような構成の断熱コンクリート壁の構築方法について説明する。
すなわち、この断熱コンクリート壁の構築方法は、型枠設置工程と、型枠設置工程で設置した型枠の内側の部分にコンクリートを打設するコンクリート打設工程とを備えている。
【００２４】
型枠設置工程は、断熱コンクリート壁１の内面側及び外面側に対応する部分に型枠としての断熱複合パネル２をそれぞれ配置し、両断熱複合パネル２、２間に間隔保持手段１０を取り付け、間隔保持手段１０によって両断熱複合パネル２、２間を所定の間隔に保持する。
【００２５】
具体的には、図１に示すように、間隔保持手段１０の一方のアタッチメント１５の本体部１６を一方の断熱複合パネル２（断熱コンクリート壁１の内面側又は外面側の断熱複合パネル２）の挿入孔６内に挿入し、フランジ部１７を断熱材５の表面に当接させ、パネル３の外側から貫通孔４内に締結ナット２０のねじ部２１を挿入し、締結ナット２０のねじ部２１を連結ロッド１１の雄ねじ部１２に螺合させて締め付け、締結ナット２０の頭部２２をパネル３の表面に当接させる。これにより、連結ロッド１１の一端部がアタッチメント１５及び締結ナット２０を介して一方の断熱複合パネル２のパネル３に固定される。この場合、必要に応じて、締結ナット２０の頭部２２とパネル３との間に型枠補強部材２６を介在させる。
【００２６】
さらに、他方のアタッチメント１５の本体部１６を他方の断熱複合パネル２（断熱コンクリート壁１の外面側又は内面側の断熱複合パネル２）の挿入孔６内に挿入し、フランジ部１を断熱材５の表面に当接させ、パネル３の外側から貫通孔４内に締結ナット２０のねじ部２１を挿入し、締結ナット２０のねじ部２１を連結ロッド１１の雄ねじ部１２に螺合させて締め付け、締結ナット２０の頭部２２をパネル３の表面に当接させる。これにより、連結ロッド１１の他端部がアタッチメント１５及び締結ナット２０を介して他方の断熱複合パネル２のパネル３に固定される。
【００２７】
このようにして、型枠設置工程において、断熱コンクリート壁１の内面側及び外面側に対応する部分にそれぞれ断熱複合パネル２、２が設置され、両断熱複合パネル２、２間が間隔保持手段１０によって所定の間隔に保持される。なお、型枠設置工程において、各断熱複合パネル２の外側に必要に応じて補強部材を介して支持板を設置し、各断熱複合パネル２を補強するようにしてもよい。
【００２８】
次に、コンクリート打設工程において、型枠設置工程において設置した一対の断熱複合パネル２、２間にコンクリート７を打設し、所定の養生期間をおいてコンクリート７を固化させることにより、コンクリート７の内面側及び外面側に断熱複合パネル２、２が配置された断熱コンクリート壁１が構築される。
【００２９】
そして、図２に示すように、コンクリート７内に埋設された間隔保持手段１０の連結ロッド１１、アタッチメント１５等の部材以外の不要な部材（締結ナット２０等）を取り外し、撤去し、この後、パネル３の貫通孔４内に断熱性を有する樹脂等から形成されるキャップ２５を挿入し、連結ロッド１１の雄ねじ部１２に被嵌させる。又は、パネル３の貫通孔３内及び連結ロッド１１の周囲にパテを充填する。このようにして、内面側及び外面側に断熱複合パネル２、２が配置された断熱コンクリート壁１を構築することができる。
【００３０】
上記のように構成した本実施の形態による断熱コンクリート壁及び断熱コンクリート壁の構築方法にあっては、内面側及び外面側にそれぞれ断熱材５を有する断熱複合パネル２を配置しているので、建物の外壁の内面側及び外面側の両方に密着して断熱層を設けることができる。従って、外壁の内面側のみに設けた従来のものに比べて、断熱性をさらに高めることができるとともに、外壁と断熱層との間に結露が生じるのを防止できる。
【００３１】
さらに、壁の内面側及び外面側に配置される断熱複合パネル２、２間を間隔保持手段１０によって所定の間隔に保持し、この場合、断熱複合パネル２の硬質のパネル３に間隔保持手段１０の端部を固定しているので、断熱複合パネル２の軟質の断熱材５の存在によって両断熱複合パネル２、２間の間隔が影響を受けるようなことはなく、高精度で断熱コンクリート壁１を構築することができる。さらに、断熱性の低い連結ロッド１１がパネル３に接触していないので、連結ロッド１１が熱橋になるのを防止できる。
【００３２】
さらに、両断熱複合パネル２、２間へ間隔保持手段１０を取り付ける場合、アタッチメント１５を断熱材５の挿入孔６内に挿入し、パネル３の外側から貫通孔４内に締結ナット２０のねじ部２１を挿入して、連結ロッド１１の雄ねじ部１２に螺合させて締め付け、頭部２２をパネル３の表面側に当接させるだけでよいので、簡単な作業で両断熱複合パネル２、２間に間隔保持手段１０を取り付けることができる。従って、作業効率を大幅に高めることができる。
【図面の簡単な説明】
【００３３】
【図１】本発明による断熱コンクリート壁の一実施の形態を示した部分拡大断面図であって、施工中の状態を示した部分拡大断面図である。
【図２】図１の断熱コンクリート壁の施工後の状態を示した部分拡大断面図である。
【図３】間隔保持手段の全体を示した説明図である。
【図４】図３の一方の分割ロッドとアタッチメントとの関係を示した説明図である。
【図５】図３の他方の分割ロッドとアタッチメントとの関係を示した説明図である。
【図６】アタッチメントの断面図である。
【符号の説明】
【００３４】
１    断熱コンクリート壁          ２    断熱複合パネル
３    パネル                      ４    貫通孔
５    断熱材                      ６    挿入孔
７  コンクリート                  １０  間隔保持手段
１１  連結ロッド                  １２  雄ねじ部
１３  分割ロッド                  １４  長ナット
１５  アタッチメント              １６  本体部
１７  フランジ部                  １８  大径部
１９  小径部                      ２０  締結ナット
２１  ねじ部                      ２２  頭部
２５  キャップ                    ２６  型枠補強部材
【図１】
2007016471.tif 000003
【図２】
2007016471.tif 000004
【図３】
2007016471.tif 000005
【図４】
2007016471.tif 000006
【図５】
2007016471.tif 000007
【図６】
2007016471.tif 000008